(57)【要約】  発電機の排熱で加熱した湯水を貯湯タンクに貯湯するコジェネレーションシステムにおいて、水循環路の水が凍結する惧れがある状況を的確に把握して、凍結抑制制御により凍結を抑制すると共に、無駄な凍結抑制制御の実施を回避してシステムの効率低下を抑制する。  環境温度Ｔａが、下限値Ｔａ＿ｍｉｎ未満と判定されたときは、ラジエータ入口温度Ｔｒ１と、ラジエータ出口温度Ｔｒ２との温度差ΔＴ（＝Ｔｒ１−Ｔｒ２）が、所定値でΔＴ０を超えているか否かを判定し、所定値ΔＴ０を超えていると判定されたときに、水循環路の水が凍結する惧れがあるとの判定を下し、凍結抑制制御を実施する指示を出力する。
2013129476.tif 000002
【特許請求の範囲】
【請求項１】
発熱を伴って発電する発電装置と、水を蓄える貯湯タンクと、該貯湯タンク内の水を冷却用のラジエータを介して前記発電装置の熱交換部に供給する第１流路と、前記発電装置の熱交換部で加熱された湯水を前記貯湯タンク内に供給する第２流路と、前記発電装置、前記貯湯タンク、前記第１流路及び前記第２流路を含んで構成される水循環路内の水を循環させる水循環装置と、前記水循環路の凍結条件が成立したと判定されたときに凍結抑制制御を実行する凍結抑制制御部と、を含むコジェネレーションシステムの制御装置であって、
環境温度を検出する環境温度検出部と、
前記ラジエータの入口温度と出口温度の温度差を検出するラジエータ温度差検出部と、
前記環境温度が所定値未満で、前記ラジエータ入出口の温度差が所定値以上のときを、前記水循環路の凍結条件が成立したと判定する凍結条件判定部と、
を配設したことを特徴とするコジェネレーションシステムの制御装置。
【請求項２】
前記水循環路の前記発電装置出口部の温度が設定上限温度以上となったときに前記水循環路に凍結を生じたと判定する凍結判定部を含んで構成したことを特徴とする請求項１に記載のコジェネレーションシステムの制御装置。
【請求項３】
前記凍結条件判定部は、前記環境温度が所定値未満で前記ラジエータの出口温度又は入口温度が予め定めた下限温度未満のときは、前記ラジエータ入出口の温度差に関わらず前記水循環路の凍結条件が成立したと判定することを特徴とする請求項１に記載のコジェネレーションシステムの制御装置。
【請求項４】
前記凍結条件判定部は、前記環境温度が所定値未満であっても前記ラジエータの出口温度又は入口温度が予め定めた上限温度以上のときは、前記水循環路の凍結条件が成立しないと判定することを特徴とする請求項１に記載のコジェネレーションシステムの制御装置。
【請求項５】
発熱を伴って発電する発電装置と、水を蓄える貯湯タンクと、該貯湯タンク内の水を冷却用のラジエータを介して前記発電装置の熱交換部に供給する第１流路と、前記発電装置の熱交換部で加熱された湯水を前記貯湯タンク内に供給する第２流路と、前記発電装置、前記貯湯タンク、前記第１流路及び前記第２流路を含んで構成される水循環路内の水を循環させる水循環装置と、を含むコジェネレーションシステムの制御方法であって、
環境温度を検出すると共に、
前記ラジエータの入口温度と出口温度の温度差を検出し、
前記環境温度が所定値未満で、前記ラジエータ入出口の温度差が所定値以上のときに、前記水循環路の凍結条件が成立したと判定し、
前記水循環路の凍結条件成立時に凍結抑制制御を実行する、
ことを特徴とするコジェネレーションシステムの制御方法。
【発明の詳細な説明】
【技術分野】
【０００１】
本発明は、燃料電池等の発電装置からの熱（排熱）を回収して水を加熱し、貯湯タンクに貯湯するコジェネレーションシステムに関し、特に、熱を回収する水が凍結する惧れがある状況を判定する技術に関する。
【背景技術】
【０００２】
この種の発電装置と貯湯タンクとの間で水を循環する水循環路を備えたコジェネレーションシステムにおいては、寒冷時に水循環路内の水の凍結が問題となる。特に、貯湯タンク底部の低温水を発電装置に供給する流路に介装される冷却用のラジエータ部は、ラジエータ部自体を断熱材等で覆うことができないため、低温外気に晒され過冷却となって水の凍結を生じやすい。【０００３】
そこで、特許文献１では、寒冷時に、発電装置（燃料電池）で加熱された水を、貯湯タンクをバイパスしてラジエータに循環させて凍結抑制を図っている。
また、特許文献２では、寒冷時に、貯湯タンクの水温が高いときには、貯湯タンクをバイパスしてラジエータに循環させ、貯湯タンクの水温が低いときには、貯湯タンク内の水をラジエータに循環させつつ補助熱源で加熱を行い、凍結抑制を図っている。
【先行技術文献】
【特許文献】
【０００４】
【特許文献１】特開２００９−２５７６５６号公報
【特許文献１】特開２００７−２７８５７９号公報
【発明の概要】
【発明が解決しようとする課題】
【０００５】
しかしながら、特許文献１、２に示されるように、従来は、上記凍結抑制制御を実行する判定要件を、外気温度もしくは外気温度に相関する温度のみとしていた。そのため、外気温度は判定閾値を超えているが風が吹いたり、水循環量が低下したりすることによって、水循環路やラジエータ部で水が凍結してしまうような事態への対処が十分とはいえなかった。【０００６】
かかる事態を回避すべく、外気温度の判定閾値を高く設定すると、風が吹いていない（弱い）ときや水循環量が多く水が凍結する惧れがない状況でも凍結抑制制御が行われる場合が多くなり、システムの運転効率が低下する。【０００７】
本発明は、このような従来の課題に着目してなされたもので、水が凍結する惧れがある状況を的確に把握し、必要時に確実に凍結抑制制御を実行させて凍結を抑制すると共に、無駄な凍結抑制制御の実行を回避してシステムの運転効率の低下を抑制できるようにしたコジェネレーションシステムの制御装置及び制御方法を提供することを目的とする。
【課題を解決するための手段】
【０００８】
このため本発明に係るコジェネレーションシステムの制御装置は、
発熱を伴って発電する発電装置と、水を蓄える貯湯タンクと、該貯湯タンク内の水を冷却用のラジエータを介して前記発電装置の熱交換部に供給する第１流路と、前記発電装置の熱交換部で加熱された湯水を前記貯湯タンク内に供給する第２流路と、前記発電装置、前記貯湯タンク、前記第１流路及び前記第２流路を含んで構成される水循環路内の水を循環させる水循環装置と、前記水循環路の凍結条件が成立したと判定されたときに凍結抑制制御を実行する凍結抑制制御部と、を含むと共に、
環境温度Ｔａを検出する環境温度検出部と、前記ラジエータの入口温度Ｔｒ１と出口温度Ｔｒ２の温度差ΔＴ（＝Ｔｒ１−Ｔｒ２）を検出するラジエータ温度差検出部と、前記環境温度Ｔａが所定値未満で、前記ラジエータ入出口の温度差ΔＴが所定値以上のときを、前記水循環路の凍結条件が成立したと判定する凍結条件判定部と、を配設したことを特徴とする。
【発明の効果】
【０００９】
環境温度Ｔａが同一温度条件でも、風が吹いているときは、風が吹いていない（弱い）ときに比較して、ラジエータへの通風量増大により、水循環路に供給される水の冷却量が増大するため、温度降下が増大して水が凍結しやすくなる。また、水循環量が少ないときも多いときに比較して単位水量当りの水の冷却量が増大するため、温度降下が増大して水が凍結しやすくなる。【００１０】
したがって、環境温度が所定温度未満であることに、ラジエータの入口温度と出口温度との温度差が所定値以上であることを判定用件に加えることによって、水が凍結する惧れがある状況を的確に捉えることができる。【００１１】
これにより、凍結抑制制御を必要時に確実に実行させて凍結を抑制しつつ、無駄な凍結抑制制御の実行によるシステムの運用効率低下を抑制することができる。
【図面の簡単な説明】
【００１２】
【図１】本発明に係るコジェネレーションシステムの概略を示すブロック図。
【図２】同上システムにおける凍結抑制制御の実行の有無を判定する制御の第１実施形態に係るフローチャート。
【図３】同上システムにおける凍結抑制制御の実行の有無を判定する制御の第２実施形態に係るフローチャート。
【図４】同上システムにおける凍結抑制制御の実行の有無を判定する制御の第３実施形態に係るフローチャート。
【図５】同上システムにおける凍結抑制制御の実行の有無を判定する制御の第４実施形態に係るフローチャート。
【発明を実施するための形態】
【００１３】
以下に、本発明の実施形態を図に基づいて説明する。
図１は、本発明の実施形態に係るコジェネレーションシステム１００の概略を示す図である。
【００１４】
本システム１００は、発熱を伴って発電する発電装置１と、水を蓄える貯湯タンク２と、貯湯タンク２下部に溜まる比較的低温の水をラジエータ３を介して発電装置１の熱交換部１５に供給する第１流路４と、該熱交換部１５と、該熱交換部１５で加熱された湯水を貯湯タンク２の上部に供給する第２流路５と、を含んで構成される。そして、第２流路５に介装された水循環装置６を含んで、発電装置１と貯湯タンク２との間で、水を循環させる水循環路が構成されている。
【００１５】
発電装置１としては、固体高分子形燃料電池（ＰＥＦＣ）や固体酸化物形燃料電池（ＳＯＦＣ）等の燃料電池の他、ガスタービンを駆動源とするものなども含まれる。
貯湯タンク２には、その上部に湯水を取り出す出湯管７が接続されると共に、下部に上水（常温水）を補給する給水管８が接続されている。
【００１６】
前記ラジエータ３は、ファン３ａ及びヒータ３ｂを備え、貯湯タンク２と共に、タンクケース９内の上部に収納される。タンクケース９の上部には、通気孔９ａが開口されている。
【００１７】
水循環装置６は、本実施形態では発電装置１のケース１ａ内に収納されるが、本配置例に限定されるものではない。
また、水循環装置６の制御等のため、循環水のラジエータ入口温度Ｔｒ１を検出する第１温度センサ１０、循環水のラジエータ出口温度Ｔｒ２を検出する第２温度センサ１１、循環水の発電装置１の出口温度Ｔｆ２を検出する第３温度センサ１２、貯湯タンク２の入口温度Ｔｓ１を検出する第４温度センサ１３、及び環境温度（外気温度）を検出する第５温度センサ１４が配設され配設される。そして、これらのセンサによる温度計測値はコントローラ２１に入力される。
【００１８】
かかる構成を備えたコジェネレーションシステム１００において、冬場等の寒冷時に水循環路、特に外気に晒されて過冷却されやすいラジエータ３周辺部における水の凍結を抑制する制御（例えば、水の循環量を増大して凍結しにくくする制御）がコントローラ２１によって行われる。
【００１９】
そして、上記凍結抑制制御を実行する凍結条件、つまり、放置すると水が凍結する惧れがある状況を判定する制御が、以下のように行われる。
図２は、上記凍結条件の判定フローを示す。
【００２０】
ステップＳ１では、第５温度センサ１４によって検出される環境温度Ｔａが、水循環路の水が凍結する惧れがある所定値Ｔａ＿ｍｉｎ未満か否かを判定する。
環境温度Ｔａが所定値Ｔａ＿ｍｉｎ未満と判定されたときは、ステップＳ２へ進む。そして、第１温度センサ１０によって検出されるラジエータ入口温度Ｔｒ１と第２温度センサ１１によって検出されるラジエータ出口温度Ｔｒ２との温度差ΔＴ（＝Ｔｒ１−Ｔｒ２）が、所定値ΔＴ０を超えているか否かを判定する。
【００２１】
温度差（Ｔｒ１−Ｔｒ２）が所定値ΔＴ０を超えていると判定されたときに、ステップＳ３で水循環路の水が凍結する惧れがあるとの判定を下し、ステップＳ５で凍結抑制制御を実行する指示を出力する。
【００２２】
凍結抑制制御としては、ヒータ３ｂを駆動してラジエータ３を加熱したり、水循環装置６による水循環量を増量してラジエータ３内を流れる水量を増大して凍結しにくくする制御など、周知の制御を行う。あるいは、発電装置１からの高温な湯水を、貯湯タンク２をバイパスさせてラジエータ３に導くバイパス通路を設け、該バイパス通路を開通させる制御としてもよく、さらには、これらの制御を併用してもよい。
【００２３】
なお、凍結抑制制御中に、一時的に発電装置１の発電量を増大させてもよい。発電量の増大に伴い発熱量も増大するため、水温の上昇を促進して凍結抑制制御時間を短縮し、通常制御への移行を早めることができる。この際、余剰電力をシステム１００内に蓄電池を備えている場合には該蓄電池に充電するようにしてもよい。また、発電装置１を駐車中の電気自動車ないしハイブリッド車に搭載された蓄電池と接続し、上記余剰電力を該蓄電池に充電することもできる。
【００２４】
ステップＳ１で環境温度Ｔａが所定値Ｔａ＿ｍｉｎ以上と判定されたとき、または、ステップＳ２で温度差（Ｔｒ１−Ｔｒ２）が所定値ΔＴ０以下と判定されたときは、ステップＳ４で、水循環路の水が凍結する惧れはないとの判定を下す。
【００２５】
かかる凍結条件判定方式によれば、環境温度Ｔａが所定値Ｔａ＿ｍｉｎ未満であることに、ラジエータ３の入口温度Ｔｒ１と出口温度Ｔｒ２との温度差ΔＴが所定値ΔＴ０より大であることを判定条件に加えることによって、凍結される惧れがある状況を的確に捉えることができる。
【００２６】
従来のように環境温度（外気温度）のみで凍結抑制制御実行の有無を判定する方式では、環境温度が判定閾値以上の場合でも、水循環路、特にラジエータ３に風が吹きつけられていたり、水循環路の水の循環量が少なかったりすると、ラジエータ３部での単位水量当りの冷却量が大きくなって水温の降下量が増大し、水循環路の水が凍結する惧れがある。
【００２７】
そのような事態を回避すべく環境温度の判定閾値を高く設定すると、風が吹いていない（弱い）ときや水循環路の水循環量が多く、水循環路の水が凍結する惧れが無い状況でも凍結抑制制御が行われてしまう場合が多くなり、システム１００の運転効率が低下する。
【００２８】
しかし、本実施形態によれば、ラジエータ３の入出口の温度差を判定条件に加えるため、風が吹いていたり、水循環路の水の循環量が少なかったりした場合は、ラジエータ３の入出口の温度差が増大してその判定閾値を超えることにより、水循環路の水が凍結する惧れがある状況を正しく検出することができる。
【００２９】
なお、ラジエータの入出口の温度差のみを判定条件とした場合には、環境温度が高い夏場等でも温度差が増大して正しい判定を行えなくなってしまうので、環境温度が低温である寒冷時と組み合わせた条件が必要となる。
【００３０】
しかし、本実施形態によれば、環境温度が低い寒冷時で、かつ、ラジエータ３の入出口の温度差が大きいことを、凍結する惧れがある凍結条件の判定要件として設定する。これにより、該凍結条件を正しく判定して、凍結抑制制御を必要時に確実に実行させて凍結を抑制しつつ、無駄な凍結抑制制御の実行によるシステム１００の運転効率低下を抑制することができる。
【００３１】
また、上記凍結する惧れがある状況の判定は、本システム１００の運転中常に行われることが好ましい。具体的には、まず、システム１００の起動後、上記判定条件が満たされたとき、凍結抑制制御が行われる。その結果、水循環路の水が凍結する惧れが無くなったと判定された段階で、一旦凍結抑制制御は解除される。その後も判定は継続され、再度凍結条件が成立したときは、再度凍結抑制制御が実行される。
【００３２】
なお、再度凍結抑制制御の実行，解除が頻繁に繰り返されるハンチングを抑制するため、例えば、凍結抑制制御を解除するときのラジエータの入出口の温度差の判定用閾値は、凍結抑制制御を実行するときの判定用閾値より小さい値とするヒステリシスを与えておくようにしてもよい。
【００３３】
ところで、発電装置として固体高分子形燃料電池（ＰＥＦＣ）を使用したシステムのように、毎日所定時間の運転と停止を断続する運転を基本とするシステム１００においては、システム１００の停止中に、水循環路の水が凍結することがある。
【００３４】
また、発電装置として固体酸化物形燃料電池（ＳＯＦＣ）を使用したシステム１００のように、連続運転を基本とするシステム１００では、上記の水循環路の水が凍結する惧れがある状況を判定しつつ凍結抑制制御を実行することにより、通常は、凍結を抑制することが可能であるが、システム１００を長時間停止した後での運転再開時等には、停止中に水循環路の水が凍結していることがある。
【００３５】
図３は、かかる凍結状態の判定を含む第２実施形態の制御フローを示す。
ステップＳ１１では、発電装置１の出口温度Ｔｆ２が、凍結している可能性がある所定値Ｔｆ２＿ｍａｘを超えているか否かを判定する。なお、循環水の発電装置出口温度Ｔｆ２は、例えば燃料電池システムの排ガスから熱を回収する熱交換部１５における循環水の出口温度を測定するセンサで兼用してもよい。
【００３６】
発電装置出口温度Ｔｆ２が予め定める所定値Ｔｆ２＿ｍａｘを超えていると判定されたときは、ステップＳ１２へ進んで、水循環路の水が凍結している可能性が大きいと判定を下す。
すなわち、水循環路の水が凍結すると、水循環路（主にラジエータ３）が閉塞し、水が循環しない、或いは循環流路の断面積が減少するため、第２配水管５内の水、特に発電装置１の出口付近に滞留する水は発電装置１からの熱を受け続けて過度に温度上昇する。その結果、発電装置出口温度Ｔｆ２が、所定値Ｔｆ２＿ｍａｘを超えることとなるので、凍結している可能性が大きい状況を判定することができる。
【００３７】
そして、水循環路の水が凍結している可能性が大きいと判定されたときは、無理な運転によるシステム１００への悪影響、ひいては故障発生を抑制するため、ステップＳ１３でシステム１００の運転停止の指示を出力する。
【００３８】
一方、ステップＳ１１で発電装置出口温度Ｔｆ２が、所定値Ｔｆ２＿ｍａｘを超えていないと判定されたときは、水循環路の水は凍結していないと判断し、ステップＳ１以降へ進む。そして、第１実施形態と同様に、水循環路の水が凍結する惧れがあるか否かを判定し、凍結する惧れがあるときに凍結抑制制御を実行する。
【００３９】
図４は、第３実施形態の制御フローを示す。
第３実施形態では、図２に示した第1実施形態と同様の制御において、ステップ１で環境温度Ｔａが所定値Ｔａ＿ｍｉｎ未満と判定されたときに、ステップ２１において、ラジエータ３の出口温度Ｔｒ２が、下限温度Ｔｒ２_ｍｉｎ未満に低下したかを判定する。ここで、下限温度Ｔｒ２_ｍｉｎは、任意に定められる温度であって、水循環路の水が、風によるラジエータ３からの放熱の有無に拠らず、凍結する惧れがあると判断される温度である。
【００４０】
そして、ステップ２１でラジエータ出口温度Ｔｒ２が、下限温度Ｔｒ２_ｍｉｎ未満と判定されたときは、ステップ２でのラジエータ入出口温度差の判定を行うことなく、ステップＳ３へ進む。そして、水循環路の水が凍結する惧れがあるとの判定を下し、ステップＳ５で凍結抑制制御を実行する指示を出力する。
【００４１】
ステップ２１で、ラジエータ出口温度Ｔｒ２が、下限温度Ｔｒ２_ｍｉｎ以上と判定されたときは、ステップ２でラジエータ３の入出口温度差の判定を行なう。そして、温度差（Ｔｒ１−Ｔｒ２）が所定値ΔＴ０を超えていると判定されたときに、ステップＳ３で水循環路の水が凍結する惧れがあるとの判定を下し、ステップＳ５で凍結抑制制御を実行する指示を出力する。
【００４２】
即ち、ラジエータ３の入出口温度差は小さく維持されていても、水循環路の水の温度自体が凍結温度付近まで低下している場合は、ラジエータ３での過冷却の有無によらず凍結に至るような事態も考えられる。本第３実施形態によれば、ラジエータ３の出口温度Ｔｒ２が下限温度Ｔｒ２_ｍｉｎ未満まで低下したときに、ラジエータ３の入出口温度差に関わらず凍結抑制制御を実行してこのような事態にも対応することができる。
一方、ラジエータ３の出口温度Ｔｒ２が下限温度Ｔｒ２_ｍｉｎ以上で凍結温度に対してまだ余裕がある場合でも、風量が大きいとき、水循環量が小さいとき等は水循環路の水が凍結する惧れがあるので、ラジエータ３の入出口温度差の判定を行い、温度差（Ｔｒ１−Ｔｒ２）が所定値ΔＴ０を超えていると判定したときに、凍結抑制制御を実行することで対応できる。
【００４３】
図５は、第４実施形態の制御フローを示す。
第４実施形態では、第３実施形態と同様の制御において、ステップ１で環境温度Ｔａが所定値Ｔａ＿ｍｉｎ未満と判定されたときに、ステップ３１において、ラジエータ３の出口温度Ｔｒ２が、上限温度Ｔｒ２_ｍａｘ未満に低下したかを判定する。ここで、上限温度Ｔｒ２_ｍａｘは、任意に定められる温度であって、循環水が、風によるラジエータ３からの放熱によって直ちに凍結する惧れがないと判断される温度である。
【００４４】
そして、ステップ３１でラジエータ出口温度Ｔｒ２が、上限温度Ｔｒ２_ｍａｘ以上と判定されたときは、ステップ２でのラジエータ入出口温度差の判定を行うことなく、ステップＳ４へ進んで水循環路の水が凍結する惧れがないとの判定を下し、凍結抑制制御の実行を回避する。
【００４５】
環境温度Ｔａが低い場合でも、貯湯タンク２内の水温が十分に高い場合などは、ラジエータ入出口温度差が大きくなるようなことがあっても、水循環路の水が直ちに凍結する惧れは低いと考えられる。そこで、本第４実施形態では、ラジエータ出口温度Ｔｒ２が、上限温度Ｔｒ２_ｍａｘ以上と判定されたときは、凍結抑制制御の実行を回避若しくは遅らせることにより、システム１００の運転効率低下を抑制することができる。
【００４６】
ステップ３１で、ラジエータ３の出口温度Ｔｒ２が、上限温度Ｔｒ２_ｍａｘ未満に低下したと判定された場合は、ステップ２１以降へ進んで第３実施形態と同様の制御が行われ、同様の効果が得られる。
【００４７】
上記第３実施形態及び第４実施形態において、ステップ２１及びステップ３１の判定は、ラジエータ３周辺部の温度を推定できればよいので、ラジエータ３の出口温度Ｔｒ２の代わりに入口温度Ｔｒ１を用いてもよい。あるいは、出口温度Ｔｒ２としてラジエータ３出口から発電装置１入口に至る流路部分のいずれかの箇所の検出温度、入口側温度Ｔｒ１として貯湯タンク２出口からラジエータ３入口に至る流路部分のいずれかの箇所の検出温度を用い、検出箇所に対応した下限温度Ｔｒ２_ｍｉｎ及び上限温度Ｔｒ２ｍａｘを設定して判定する構成としてもよい。
【００４８】
尚、以上に本発明の実施形態を図面に基づいて説明したが、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【００４９】
例えば、本発明の実施形態において水循環装置は発電装置１のケース１ａ内に収納される例を示したが、タンクケース９内に収納してもよい。また、本発明の実施形態においてヒータ３ｂはラジエータ３の近傍に設けてラジエータ３を通過する水を加熱する例を示したが、水循環路の近傍に設けて水循環路の水を加熱してもよい。
また、第３実施形態及び第４実施形態に、第２実施形態に示した凍結状態の判定及び該判定時にシステム運転を停止するステップ（ステップ１１〜ステップ１３）を追加してもよい。
【符号の説明】
【００５０】
１…発電装置
２…貯湯タンク
３…ラジエータ
４…第１配水管
５…第２配水管
６…水循環装置
７…出湯管
８…給水管
９…タンクケース
９ａ…通気孔
１０…第１温度センサ
１１…第２温度センサ
１２…第３温度センサ
１３…第４温度センサ
１４…第５温度センサ
１５…熱交換部
２１…コントローラ
１００…コジェネレーションシステム
【図１】
2013129476.tif 000003
【図２】
2013129476.tif 000004
【図３】
2013129476.tif 000005
【図４】
2013129476.tif 000006
【図５】
2013129476.tif 000007
【国際調査報告】
2013129476.tif 000008
2013129476.tif 000009
2013129476.tif 000010
2013129476.tif 000011